(57)【要約】【課題】  この発明は、紙葉類処理機からの処理内容が通信回線を介して出力される紙葉類処理システムにおいて、異常発生時の解析ができなかったり、解析に時間がかかってしまうという欠点を回避できる。【解決手段】  この発明は、紙葉類処理機からの処理結果を通信回線を介して送信するものにおいて、通信回線の異常時に、紙葉類処理機の制御基板に保守用のＰＣを取り付け、異常時における上記紙葉類処理機内部の処理状態を、上記保守ＰＣへ出力するものである。【選択図】      図１
2005339047.tif 000002
【特許請求の範囲】
【請求項１】
紙葉類を処理する紙葉類処理機からの処理内容が通信回線を介して出力される紙葉類処理システムにおいて、
上記通信回線による異常時における上記紙葉類処理機内部の処理状態を記憶する記憶手段と、
上記紙葉類処理機への保守ＰＣの接続を判断する判断手段と、
この判断手段により上記紙葉類処理機への保守ＰＣの接続を判断した際に、上記記憶手段に記憶されている異常時における上記紙葉類処理機内部の処理状態を、上記保守ＰＣへ出力する出力手段と、
を備えることを特徴とする紙葉類処理システム。
【請求項２】
紙葉類を処理する紙葉類処理機からの処理内容が通信回線を介して出力される紙葉類処理システムにおいて、
上記通信回線による異常時における上記紙葉類処理機内部の計数情報、トレース情報、異常トレース情報を記憶する記憶手段と、
上記紙葉類処理機への保守ＰＣの接続を判断する判断手段と、
この判断手段により上記紙葉類処理機への保守ＰＣの接続を判断した際に、上記記憶手段に記憶されている異常時における上記紙葉類処理機内部の処理状態を、上記保守ＰＣへ出力する出力手段と、
を備えることを特徴とする紙葉類処理システム。
【請求項３】
紙葉類を処理する紙葉類処理機からの処理内容が通信回線を介して出力される紙葉類処理システムにおいて、
上記通信回線による異常時における上記紙葉類処理機内部の処理状態を記憶する記憶手段と、
上記紙葉類処理機への保守ＰＣの接続を判断する判断手段と、
この判断手段により上記紙葉類処理機への保守ＰＣの接続を判断した際に、暗証照合による確認を行う確認手段と、
この確認手段により暗証照合による確認が行われた際に、上記記憶手段に記憶されている異常時における上記紙葉類処理機内部の処理状態を、上記保守ＰＣへ出力する出力手段と、
を備えることを特徴とする紙葉類処理システム。
【請求項４】
紙葉類を処理する紙葉類処理機からの処理内容が通信回線を介して出力される紙葉類処理システムにおいて、
上記通信回線による異常時における上記紙葉類処理機内部の計数情報、トレース情報、異常トレース情報を記憶する記憶手段と、
上記紙葉類処理機への保守ＰＣの接続を判断する判断手段と、
この判断手段により上記紙葉類処理機への保守ＰＣの接続を判断した際に、暗証照合による確認を行う確認手段と、
この確認手段により暗証照合による確認が行われた際に、上記記憶手段に記憶されている異常時における上記紙葉類処理機内部の処理状態を、上記保守ＰＣへ出力する出力手段と、
を備えることを特徴とする紙葉類処理システム。
【発明の詳細な説明】
【技術分野】
【０００１】
この発明は、紙葉類を鑑査する複数の鑑査機、これらの鑑査機からの排除券を処理し照合を行う排除券処理機、および鑑査機と排除券処理機の全体を統合する集中制御卓によって構成されている紙葉類処理システムに関する。
【背景技術】
【０００２】
従来、紙葉類を鑑査する複数の鑑査機（ＣＰ）、これらの鑑査機からの排除券を処理し照合を行う排除券処理機（ＲＳ）、および各機器とＬＡＮにより接続され、鑑査機と排除券処理機の全体を統合する集中制御卓（ＳＳ）と種々のデータが収集されるデータベースサーバ（ＤＢ）によって構成されている紙葉類処理システムが実用化されている。（特許文献１）
このようなシステムでは、ＬＡＮにより正常に接続されているときには、計数情報、トレース情報など必要とするデータが、機器（鑑査機ＣＰ主制御、ＲＳ主制御）側から情報処理（ＳＳクライアント、ＲＳクライアント）側に常時送信されている。
【０００３】
また、必要とするデータは機器側のＳＲＡＭ（不揮発性メモリエリア）に保持されている。
【０００４】
しかし、ＬＡＮに異常が発生し復帰できないときには、強制終了処理となり機器内に保存されている情報は捨てられてしまう。
【０００５】
また、ＮＭＩ（マスク不可能割込みルーチン）が発生したときには直前のアプリケーションの状態はトレース情報として保持しているが、ＯＳが保持しているＮＭＩ発生状態は捨てられてしまっている。
【０００６】
したがって、上記異常発生時の解析ができなかったり、解析に時間がかかってしまうという欠点がある。
【特許文献１】特開平８−１９０６５３号公報
【発明の開示】
【発明が解決しようとする課題】
【０００７】
この発明は、紙葉類処理機からの処理内容が通信回線を介して出力される紙葉類処理システムにおいて、異常発生時の解析ができなかったり、解析に時間がかかってしまうという欠点を回避できる紙葉類処理システムを提供することを目的とする。
【課題を解決するための手段】
【０００８】
この発明は、紙葉類を処理する紙葉類処理機からの処理内容が通信回線を介して出力される紙葉類処理システムにおいて、上記通信回線による異常時における上記紙葉類処理機内部の処理状態を記憶する記憶手段と、上記紙葉類処理機への保守ＰＣの接続を判断する判断手段と、この判断手段により上記紙葉類処理機への保守ＰＣの接続を判断した際に、上記記憶手段に記憶されている異常時における上記紙葉類処理機内部の処理状態を、上記保守ＰＣへ出力する出力手段とを備える。
【０００９】
この発明は、紙葉類を処理する紙葉類処理機からの処理内容が通信回線を介して出力される紙葉類処理システムにおいて、上記通信回線による異常時における上記紙葉類処理機内部の計数情報、トレース情報、異常トレース情報を記憶する記憶手段と、上記紙葉類処理機への保守ＰＣの接続を判断する判断手段と、この判断手段により上記紙葉類処理機への保守ＰＣの接続を判断した際に、上記記憶手段に記憶されている異常時における上記紙葉類処理機内部の処理状態を、上記保守ＰＣへ出力する出力手段とを備える。
【００１０】
この発明は、紙葉類を処理する紙葉類処理機からの処理内容が通信回線を介して出力される紙葉類処理システムにおいて、上記通信回線による異常時における上記紙葉類処理機内部の処理状態を記憶する記憶手段と、上記紙葉類処理機への保守ＰＣの接続を判断する判断手段と、この判断手段により上記紙葉類処理機への保守ＰＣの接続を判断した際に、暗証照合による確認を行う確認手段と、この確認手段により暗証照合による確認が行われた際に、上記記憶手段に記憶されている異常時における上記紙葉類処理機内部の処理状態を、上記保守ＰＣへ出力する出力手段とを備える。
【００１１】
この発明は、紙葉類を処理する紙葉類処理機からの処理内容が通信回線を介して出力される紙葉類処理システムにおいて、上記通信回線による異常時における上記紙葉類処理機内部の計数情報、トレース情報、異常トレース情報を記憶する記憶手段と、上記紙葉類処理機への保守ＰＣの接続を判断する判断手段と、この判断手段により上記紙葉類処理機への保守ＰＣの接続を判断した際に、暗証照合による確認を行う確認手段と、この確認手段により暗証照合による確認が行われた際に、上記記憶手段に記憶されている異常時における上記紙葉類処理機内部の処理状態を、上記保守ＰＣへ出力する出力手段とを備える。
【発明の効果】
【００１２】
この発明は、紙葉類処理機からの処理内容が通信回線を介して出力される紙葉類処理システムにおいて、異常発生時の解析ができなかったり、解析に時間がかかってしまうという欠点を回避できる紙葉類処理システムを提供できる。
【発明を実施するための最良の形態】
【００１３】
図面を用いてこの発明の一実施形態を説明する。
【００１４】
図１は紙葉類処理システムとしての物品処理システムの概略構成を示すブロック図である。図２は物品処理システムの１日の運用処理を説明するためのフローチャートである。図３、図４は通信回線の異常時における保守モードを説明するためのフローチャートである。
【００１５】
この物品処理システムは、図１に示すように、オペレータからの指示を行う集中制御卓１が１台、発生した計数や機器の情報を記録するデータベースサーバ２が１台、物品を搬送する物品搬送機３が１台、物品を処理する物品処理機４が３台、物品処理機４にて、検査不可能となった物品を再検査する排除券処理機５（排除券処理端末部６と排除券処理機器７からなる）が１台からなり、各機器は同一のネットワーク８上に存在している。
【００１６】
集中制御卓１にて、システムの開始の指示と（ＳＴ１）、業務内容の設定を行い、物品搬送機３、物品処理機４へ業務の開始を通知する（ＳＴ２）。各機器を運転開始し、物品搬送機３に未処理の物品を置くと、物品処理機４からの要求により、物品搬送機３から要求のあった物品処理機４へ、物品が搬送される（ＳＴ３）。
【００１７】
物品処理機４へ搬送された物品は、自動的に施封された帯を破封し、１枚１枚検査を行い、あらかじめ設定された検査条件を満たした物品と、検査条件を満たさなかった物品と、検査不可能の物品に分類する（ＳＴ３）。
【００１８】
検査条件を満たした物品は、指定された枚数毎に帯で再び施封され、物品搬送機３へ搬送される。検査条件を満たさなかった物品はその場で裁断する。また、検査不可能な物品については専用の箱に集積され、あらかじめ設定された処理単位毎に、排除券処理機５にて再検査を行い全て裁断する。発生した計数は、データベースサーバ２に登録される（ＳＴ３）。
【００１９】
あらかじめ予定していた物品の処理高を満たしたところで業務終了を行い（ＳＴ４）、データベースサーバ２に登録されている計数の確定と、業務で発生した計数の集計結果を表す帳票の出力、および物品搬送機３、物品処理機４へ業務の終了を通知する（ＳＴ４）。また、全ての業務が完了したところで、その日１日のシステムで発生した計数の集計とその集計結果を表す帳票の出力、データベースサーバ２のバックアップなどを行いシステムを終了する（ＳＴ５）。
【００２０】
上記物品処理機４には上記物品処理機４の全体を制御する主制御部１１、処理内容やエラー時の状況を記憶する記憶部１２とを有し、ＣＰＵ基板を介して保守用パソコン(保守ＰＣ)１３と主制御部１１とが接続されるようになっている。保守用パソコン１３は全体を制御する主制御部２１、操作の指示を行う操作部２２、種々の処理内容が表示される表示部２３等を有している。
【００２１】
このような構成において、ＬＡＮ８等による通信異常により物品処理機４からデータベースサーバ２へ情報が送信されなくなった際に、物品処理機４のＣＰＵ基板に保守用パソコン１３を接続し、保守用パソコン１３の電源投入すると１０秒間のキー入力待ちとなるので（ＳＴ１１）、保守用パソコン１３のキーをたたく（ＳＴ１２）。すると、保守用パソコン１３の表示部２３に保守メニューが表示される（ＳＴ１３）。この際、保守メニューのメニュー画面として、１：保守スルーモード、２：オフライン大束施封、３：計数情報出力、４：トレース情報出力、５：異常トレース情報出力、０：システム起動の選択画面が表示される。
【００２２】
この表示に基づいて、取得したい情報を保守用パソコン１３により選択する。
【００２３】
これにより、保守用パソコン１３は、計数情報出力が選択された際（ＳＴ１４）、未送信把情報、最新把情報、投入枚数、正券累計枚数、裁断累計枚数、未送信券面厚み情報、停止コード情報を物品処理機４の記憶部１２から取得し、表示部２３により表示する（ＳＴ１５）。
【００２４】
また、保守用パソコン１３はトレース情報出力が選択された際（ＳＴ１６）、トレース情報を物品処理機４の記憶部１２から取得し、表示部２３により表示する（ＳＴ１７）。
【００２５】
また、保守用パソコン１３は異常トレース情報出力が選択された際（ＳＴ１８）、異常トレース情報を物品処理機４の記憶部１２から取得し、表示部２３により表示する（ＳＴ１９）。
【００２６】
なお、ステップ１２でキー入力がない場合、あるいはステップ２０でシステム起動が指示された際に、保守ＰＣ１３は通常システムを起動する。
上記メニュー画面を表示する前に、暗証あるいはＩＤの確認により責任者を認証するようにしても良い。また、各情報を表示したが、プリンタによりプリントアウトしたり、媒体に記録するものであっても良い。
【００２７】
上記したように、紙葉類処理機からの処理結果を通信回線を介して送信するものにおいて、通信回線の異常時に、紙葉類処理機の制御基板に保守用のＰＣを取り付け、異常時における上記紙葉類処理機内部の処理状態を、上記保守ＰＣへ出力するものである。
【００２８】
この結果、紙葉類処理機からの処理内容が通信回線を介して出力される紙葉類処理システムにおいて、異常発生時の解析ができなかったり、解析に時間がかかってしまうという欠点を回避できる。
【００２９】
ＬＡＮの異常時に、紙葉類処理機の主制御部にシリアル回線により外部ＰＣを接続し、各必要情報を表示・保存する機能を実現し、異常時の解析、処理時間の短縮を図る。
【００３０】
したがって、通信異常時などに外部ＰＣを接続することにより機器内部に蓄えている計数情報、トレース情報、異常トレース情報を表示／保存することにより異常時の解析を行うことができる。
【００３１】
その結果、異常時の処理時間短縮、解析に多いに役立つことができる。
【図面の簡単な説明】
【００３２】
【図１】本発明の紙葉類処理システムの概略構成を示す図。
【図２】本発明の紙葉類処理システムの１日の運用処理を説明するためのフローチャート。
【図３】本発明の保守モードの処理を説明するためのフローチャート。
【図４】本発明の保守モードの処理を説明するためのフローチャート。
【符号の説明】
【００３３】
１…集中制御卓  ２…データベースサーバ  ３…物品搬送機  ４…物品処理機  ５…排除券処理機  ６…排除券処理端末部  ７…排除券処理機器  ８…ネットワーク  １１…主制御部  １２…記憶部  １３…保守ＰＣ  ２３…表示部。
【図１】
2005339047.tif 000003
【図２】
2005339047.tif 000004
【図３】
2005339047.tif 000005
【図４】
2005339047.tif 000006